(57)【要約】  低周波高振幅音波周波数振動と高周波低強度超音波圧力波との組合せを化粧品化合物および皮膚に加えて、表皮への化粧品化合物の浸透の向上を促す。化粧品塗布装置は、皮膚の大幅な温度上昇なしで化粧品化合物を安全に表皮へ送達するために使用される音波周波数振動および超音波圧力波の両方を発生させる手段を備える。様々な着脱可能な塗布器具および皮膚洗浄付属物も開示される。
2017521110.tif 000002
【特許請求の範囲】
【請求項１】
人の皮膚への化粧品化合物または化学化合物の浸透を容易にする改良された方法であって、
該化合物を該皮膚に施す工程と、
その後、音波周波数振動を該化合物および該皮膚に加えて、角質層の上層および脂質二重層を無秩序にし、かつ該皮膚の浸透性を安全に高める工程と、
十分に高強度の超音波圧力波を該化合物および該皮膚に同時に加えて、該皮膚に軽いキャビテーションを生じさせ、これにより、該脂質二重層をさらに無秩序にすることによって該角質層を通るより深い通路を開き、該皮膚の浸透性をさらに高めて、該皮膚に施される該化合物の分子がより深く浸透できるようにする工程とからなる方法。
【請求項２】
前記音波周波数振動が約３３〜約２５０Ｈｚの範囲で加えられ、前記超音波圧力波が連続波様式で約１５ｋＨｚ〜約２０ＭＨｚの範囲で加えられる、請求項１に記載の方法。
【請求項３】
前記音波周波数振動が約３３〜約２５０Ｈｚの範囲で加えられ、前記超音波圧力波がパルス波様式で約１５ｋＨｚ〜約２０ＭＨｚの範囲で加えられる、請求項１に記載の方法。
【請求項４】
前記化合物を前記皮膚に施す前に、超音波圧力波と組み合わせた低音波周波数振動により電力供給された装置によって、前記皮膚が洗浄される、請求項２または３に記載の方法。
【請求項５】
皮膚への化粧品化合物または化学化合物の浸透を向上させるための装置であって、
ハンドル端部および塗布端部と、
該皮膚の浸透性を高めるように動作する該塗布端部の音波周波数振動を発生させる手段と、
該塗布端部に位置する超音波変換器と、
超音波周波数電気信号を発生させて該超音波変換器に接続する手段とからなり、
該皮膚の浸透性を高め、かつ該皮膚への該化合物の浸透を強めるように動作し、該塗布端部から超音波圧力波を該皮膚内へ伝達するように作用する該超音波周波数電気信号によって付勢されるときに、該超音波変換器が該超音波圧力波を発生させる装置。
【請求項６】
超音波周波数電気信号を発生させる前記手段と、前記塗布端部の音波周波数振動を発生させる前記手段とに電力を供給するバッテリをさらに備える、請求項５に記載の装置。
【請求項７】
前記塗布端部の前記音波周波数振動が約３３〜約２５０Ｈｚの範囲であり、圧電変換器により発生する前記超音波圧力波が連続波様式で約１５ｋＨｚ〜約２０ＭＨｚの範囲である、請求項５または６に記載の装置。
【請求項８】
前記塗布端部の前記音波周波数振動が約３３〜約２５０Ｈｚの範囲であり、圧電変換器により発生する前記超音波圧力波がパルス波様式で約１５ｋＨｚ〜約２０ＭＨｚの範囲である、請求項５または６に記載の装置。
【請求項９】
前記塗布端部の前記音波周波数振動が、運動変換器手段により、前記皮膚に平行な前記音波周波数振動の比較的小さい振動振幅成分と前記皮膚に垂直な比較的大きい振動振幅成分に変換される、請求項７または８に記載の装置。
【請求項１０】
前記運動変換器手段の前記振動振幅の変換が、ユーザにより変更可能である、請求項９に記載の装置。
【請求項１１】
塗布接触面が平坦である、請求項５に記載の装置。
【請求項１２】
凹状接触面を有する着脱可能な塗布用付属部をさらに備える、請求項５に記載の装置。
【請求項１３】
凸状接触面を有する着脱可能な塗布用付属部をさらに備える、請求項５に記載の装置。
【請求項１４】
前記皮膚を洗浄して前記皮膚への前記化合物の浸透をさらに強化するように動作する前記音波周波数振動および前記超音波周波数振動を使用する、少なくとも１つの毛束を有する着脱可能なブラシ付属部をさらに備える、請求項５に記載の装置。
【発明の詳細な説明】
【技術分野】
【０００１】
本発明は、化粧用途のための音波および／または超音波装置ならびに方法に関する。
【背景技術】
【０００２】
表皮の最外層である角質層は、死細胞（角質細胞）から構成される。この死んだ皮膚層の目的は、下にある生きた細胞を感染、脱水、および化学的攻撃から保護するためのバリアを形成することである。
【０００３】
残念なことに、身体を感染から保護するこの角質層の低浸透性バリア特性は、保湿剤、アルファヒドロキシ酸、コラーゲン、ビタミン、および血管拡張剤などの有益な化粧品組成物および化学化合物の浸透にも抵抗する。加えて、脂性および充血した皮膚の状態も、有益な皮膚治療化合物の浸透を低下させる。
【０００４】
本発明は、皮膚に結合される音波および超音波エネルギーの使用を容易にして、皮膚の浸透性を一時的に高め、かつ皮膚への有益な化粧品組成物および化学化合物の吸収を強化する方法および装置に関する。
【０００５】
従来、化学的、電気的、および超音波手段により皮膚への化粧品化合物の浸透を強化する多くの試みがなされている。
皮膚構造を修正するために化学物質を施して化粧品の浸透を可能にすることは、危険であることがわかっている。これにより、化粧品が浸透するための経路は得られるが、角質細胞と相互作用して刺激、紅斑（皮膚の発赤）、接触皮膚炎を生じさせる有害な環境に対して身体が無防備なままとなるからである。
【０００６】
電気穿孔法（electroporation）と呼ばれる方法による、一時的な輸送通路を作るための電界の印加と、イオン導入法と呼ばれる、分子を帯電させて皮膚への分子の浸透を強める方法（特許文献１）とは、いずれも費用がかかり効果的でないことが証明されている。皮膚の浸透性を高めるための電気剥脱装置（特許文献２）は、角質層の一部の層を除去することにより、強い刺激と不快感を生じさせる。
【０００７】
特許文献３に記載された、超音波により誘発される薬物送達（ソノフォレーシス）の先行技術の試みは、高周波および高強度超音波圧力波により、皮膚を通して薬物分子を送り込むことに重点的に取り組んでいる。この手順には、組織加熱および関連する変異、ならびに場合により正常細胞の破壊という欠点がある。
【０００８】
先行技術の教示にもかかわらず、化粧品化合物を皮膚内へ角質層よりも下に安全、効果的、安価、かつ容易に送達する能力は、まだ解決されていない。
【先行技術文献】
【特許文献】
【０００９】
【特許文献１】米国特許第６，１６９，９２０号明細書
【特許文献２】米国特許第８，３８６，０２７号明細書
【特許文献３】米国特許第６，３２２，５３２号明細書
【発明の概要】
【発明が解決しようとする課題】
【００１０】
前述した未解決の必要に応えて、本発明の目的は、角質層の浸透性を安全に高め、かつ化粧品化合物を真皮内へ深く送達するための、スキンケア方法および装置を提供することにある。
【００１１】
先行技術の説明で述べたように、方法が高強度を必要とすることにより、一般的なソノフォレーシス装置の安全性が損なわれるため、過度の組織加熱およびその関連する結果が生じる。
【００１２】
本発明の目的は、一般的なソノフォレーシス装置の安全性を高めて、低減された超音波強度で化粧品化合物を真皮内へ送達することである。
【課題を解決するための手段】
【００１３】
本発明の方法は、高周波超音波と組み合わせて皮膚に加えられる、非組織加熱低周波音波振動を有する超音波圧力波を増大させることにより、低強度超音波圧力波を使用するというこの目的を達成する。この新しい方法の低周波音波振動成分により、皮膚の浸透性が高まり、より低強度の非組織加熱超音波成分が、角質層を通して化粧品化合物を真皮内へ送り込むことができる。さらに、皮膚の脂および様々な汚染物が化粧品化合物の浸透を低下させるおそれがあるため、オプションの治療前皮膚洗浄工程が、開示された方法の一部となる。
【００１４】
触知できる音波周波数振動および超音波圧力波を同時に発生させ、これらを皮膚に加える能力を有する新規の装置が提供される。強調すると、本発明の重要な特徴は、触知できる音波周波数振動と超音波圧力波との相乗的な印加であり、これによって、より低強度の非組織加熱超音波を使用して、化粧品化合物の浸透を容易にし、化粧品化合物を真皮内へ安全に送り込むことができる。
【００１５】
上記の説明において、化粧品化合物および血管拡張剤という用語は、しわ取りローション、保湿剤、抗酸化ビタミン、アルファヒドロキシル酸、リポソーム、コラーゲン、エラスチン、育毛剤、および脱毛剤などのスキンケア製品を含む。
【図面の簡単な説明】
【００１６】
【図１】装置ハンドル、運動変換器首部、超音波変換器を含む塗布部、駆動モータ、電子制御部、およびバッテリから構成される本発明の長手方向断面図。
【図２】運動変換器として作用するように構成された装置の首部の横断面図。
【図３Ａ】皮膚に接触している装置の塗布用ヘッドを示す図。
【図３Ｂ】装置の音波周波数成分およびその角質層への影響を示す図。
【図４】装置の音波周波数振動および超音波圧力波成分の同時印加、ならびにこれらの組合せによる角質層への影響を示す図。
【図５】本発明の代替構成の長手方向断面図。
【図６】解剖学的構造の凸状領域用に設計された着脱可能な塗布用ヘッドを示す図。
【図７】解剖学的構造の凹状領域用に設計された着脱可能な塗布用ヘッドを示す図。
【図８】皮膚を洗浄するための着脱可能なブラシヘッドを示す図。
【発明を実施するための形態】
【００１７】
図１および図２は、好ましい構成における超音波化粧品塗布器具２０の本発明を示す。塗布器具２０は、管状ハンドル部２２、首部２４、およびアクリロニトリルブタジエンスチレン（ＡＢＳ）などの剛性プラスチック材料から構成された塗布用ヘッド２６、超音波変換器２８、駆動モータ３０、駆動モータ３０の出力軸に取り付けられた偏心おもり３２、電子モジュール３６、バッテリパック３８、ならびに相互接続配線４０を備える。
【００１８】
超音波変換器２８は、一般的に、Ｍｏｒｇａｎ  Ｍａｔｒｏｃ、Ｉｎｃ．により製造されたＰＺＴ−８グレードのチタン酸ジルコン酸鉛、または多くの他の会社により製造された同様の製品などの圧電セラミック材料から構成される。超音波変換器２８の構成は、当業者により通常実施されるように、単一要素ユニットであっても複数要素ユニットであってもよい。
【００１９】
塗布器具２０にＡＢＳ材料が使用される理由としてＡＢＳの優れた音響特性が挙げられる。しかしながら、多くの他の剛性プラスチック材料を代わりに使用して、設計者の様々な費用および性能の目標を達成してもよい。
【００２０】
制御スイッチ３４が駆動モータ３０を付勢すると、駆動モータ３０は、偏心して取り付けられたおもり３２を２，０００〜２５，０００ＲＰＭ（理想速度は９，０００ＲＰＭ）で回転させて、塗布器具２０のハンドル２２および首部２４の部分の３３〜４１７ヘルツの音波周波数回転振動４４を発生させる。この振動は、音波周波数振動を１０〜２０，０００ヘルツとして定義する当技術分野では、比較的低い音波周波数振動であると考えられる。図２に示すように、首部２４の横断面は、横方向Ｙに比べて縦方向Ｘに比較的薄くなるように設計され、これにより、塗布用ヘッド２６の縦振動４２の振幅を大幅に増加させるとともに、塗布用ヘッド２６の横振動４６の振幅を大幅に減少させる。言い換えると、塗布器具２０の首部２４は、塗布器具２０のハンドル２２部分の回転振動４４を塗布用ヘッド２６の実質的な縦振動４２に変換するための運動変換器となるように設計されて、モータ３０の回転エネルギーを塗布用ヘッド２６の縦振動エネルギーに変換する。
【００２１】
バッテリパック３８を、アルカリ・マンガン、ニッケルカドミウム、Ｎｉ−Ｍｈ、リチウム、または他の新しい構成などの様々な化学的性質の単一セルまたは複数セルのバッテリパックとして構成してもよい。
【００２２】
電子モジュール３６の主な機能は、バッテリパック３８の、一般的に１．５〜４．８ＶＤＣの低電圧ＤＣ電力を、高電圧（４．８〜６０ボルト）の一般的に正弦波の超音波周波数（一般的に１５ｋＨｚ〜２０ＭＨｚ）のＤＣ電力に連続波または破裂波様式で変換することである。
【００２３】
駆動モータ３０の付勢と同時に、スイッチ３４は電子モジュール３６も起動する。相互接続配線４０を通して、電子モジュール３６は超音波変換器２８を付勢し、超音波変換器２８は、高周波ＤＣ電力に同調して収縮および膨張し、この電力を０．０５〜０．５Ｗ／ｃｍ２の一般的な強度の超音波圧力波４８に変換する。
【００２４】
図３Ａにおいて、塗布器具２０の塗布用ヘッド２６は、角質層５２の外面上の位置に示される。角質層５２は、弛緩位置５８で示される秩序脂質二重層５４Ａにより囲まれたケラチン繊維で満たされた平坦な死細胞から構成される。角質層５２の秩序構造および秩序脂質二重層５４Ａは、通常は略不浸透性の皮膚構造を形成している。化粧品化合物５０の薄層が、塗布用ヘッド２６の塗布接触面９２と角質層５２との間に配置されて示される。一般的に非常に限られた量の化粧品化合物５０の小分子５６が、塗布用ヘッド２６の助けなしで秩序脂質二重層５４Ａにわずかに入り込んでいる様子が示される。
【００２５】
図３Ｂは、角質層５２上において縦振動４２モードで起動された塗布用ヘッド２６を示し、化粧品化合物５０の薄層が、塗布用ヘッド２６の塗布接触面９２と角質層５２との間に配置されて示される。塗布用ヘッド２６の縦振動４２（振動を示すために実線および破線でも表される）は、塗布用ヘッド２６の高振幅低周波振動モードに同調して弛緩位置５８から圧縮位置６０へ、角質層５２および秩序脂質二重層５４Ａを繰り返し圧縮し弛緩させる。この高振幅低音波周波数振動４２と、それによる角質層５２および秩序脂質二重層５４Ａの圧縮および弛緩サイクルの繰返しとの繰り返される連続した影響により、秩序脂質二重層５４Ａは、無秩序になり、化粧品化合物５０の分子５６が通過するためのより大きい通路を作り始める。無秩序脂質二重層５４Ｂは破線により表される。
【００２６】
図４は、塗布用ヘッド２６の塗布接触面９２と角質層５２との間に配置された化粧品化合物５０の薄層を有しつつ、角質層５２に接触する塗布用ヘッド２６を示す。図示された超音波変換器２８は、接続配線４０を通して電子モジュール３６により付勢され、超音波圧力波４８を角質層５２および無秩序脂質二重層５４Ｂ内へ放射している。ソノフォレーシス技術は２０ｋＨｚ〜２０ＭＨｚの周波数範囲で連続波および破裂波様式の両方で動作するように示されているが、システムのために選択された圧電変換器のサイズおよび特性に適合する周波数、駆動電圧、および様式の正しい組合せを選択することが重要である。ＰＺＴ８配合物などの硬質圧電材料は、高電圧により駆動されると、関連する組織の加熱により、高超音波電力強度を出力する。組織の過熱を避けるために、２０％デューティサイクル（２０％オン、８０％オフ）の破裂様式が先行技術で有用であると証明されている。
【００２７】
次に、本発明によれば、非組織加熱の高振幅低音波周波数機械振動４２と超音波圧力波４８とを角質層５２に同時に加えることにより、ソノフォレーシス方法の安全性をさらに高めることができる。角質層５２に加えられ、角質層５２を通る最初の通路を確立する高振幅低音波周波数振動４２があるため、超音波圧力波４８の強度を大幅に低下させることができ、これにより、方法の有効性を維持しつつ、組織加熱を比例して減少させる。
【００２８】
図４に示す高周波超音波圧力波４８は、低音波周波数振動４２よりも、無秩序脂質二重層５４Ｂにはるかに深くに入り込む。２０ｋＨｚ〜２ＭＨｚの好ましい周波数範囲および２０％デューティサイクルの破裂様式のこれらの超音波圧力波４８が脂質二重層５４Ｂ内深くに軽いキャビテーションを生じさせると、図３Ａに示す秩序脂質二重層５４Ａを無秩序脂質二重層５４Ｂにさらに分解するように作用する微小空気および／または真空ポケット６６が生じて、化粧品化合物分子５６が角質層５２、無秩序脂質二重層５４Ｂ、表皮６２の底層を通って真皮６４に入り込むための、より多くのより深い通路が作られる。
【００２９】
図５は、本発明の代替構成の長手方向断面図であり、塗布器具８０が、アクリロニトリルブタジエンスチレン（ＡＢＳ）などの剛性プラスチック材料から構成された角度塗布用ヘッド９０で終端する管状ハンドル部８２、超音波変換器２８、駆動モータ３０、駆動モータ３０の出力軸に取り付けられた偏心おもり３２、電子モジュール３６、バッテリパック３８、ならびに相互接続配線４０を備える。
【００３０】
超音波変換器２８は、一般的に、Ｍｏｒｇａｎ  Ｍａｔｒｏｃ、Ｉｎｃ．により製造されたＰＺＴ−８グレードのチタン酸ジルコン酸鉛、または多くの他の会社により製造された同様の製品などの圧電セラミック材料から構成される。超音波変換器２８の構成は、当業者により通常実施されるように、単一要素ユニットであっても複数要素ユニットであってもよい。
【００３１】
塗布器具８０にＡＢＳ材料が使用されるのは、ＡＢＳの優れた音響特性によるものである。しかしながら、多くの他の材料を代わりに使用して、設計者の様々な費用および性能の目標を達成してもよい。例えば、塗布接触面９２をステンレス鋼または他の金属材料から構成してもよい。
【００３２】
制御スイッチ３４が駆動モータ３０を付勢すると、駆動モータ３０は、偏心して取り付けられたおもり３２を２，０００〜２５，０００ＲＰＭ（理想速度は９，０００ＲＰＭ）で回転させて、塗布器具８０のハンドル部８２の３３〜４１７ヘルツの音波周波数回転振動４４を発生させる。
【００３３】
塗布用ヘッド９０の塗布接触面９２の角度位置決め８７は、ハンドル部８２の回転振動４４を塗布用ヘッド９０の塗布接触面９２の角度回転振動８４に変換する運動変換器として作用する。角度回転振動８４は、運動ベクトル８６および運動ベクトル８８の方向への塗布接触面９２の２次元振動運動を生じさせる。
【００３４】
図５は傾斜して固定された塗布用ヘッド９０の構成を示すが、塗布器具８０はユーザが調節可能な角度塗布用ヘッド９０を有して構成されてもよく、ユーザは、塗布接触面９２の角度位置決め８７を変化させて、振動運動を運動ベクトル８６および運動ベクトル８８の方向へ増減させることができる。角度８７が小さくなると、運動ベクトル８８の振動振幅が小さくなり、運動ベクトル８６の振動振幅が大きくなる。
【００３５】
バッテリパック３８を、アルカリ・マンガン、ニッケルカドミウム、Ｎｉ−Ｍｈ、リチウム、または他の新しい構成などの様々な化学的性質の単一セルまたは複数セルのバッテリパックとして構成してもよい。
【００３６】
電子モジュール３６の主な機能は、バッテリパック３８の、一般的に１．５〜４．８ＶＤＣの低電圧ＤＣ電力を、高電圧（４．８〜６０ボルト）の一般的に正弦波の超音波周波数（一般的に１５ｋＨｚ〜２０ＭＨｚ）のＤＣ電力に連続波または破裂波様式で変換することである。
【００３７】
駆動モータ３０の付勢と同時に、スイッチ３４は電子モジュール３６も起動する。相互接続配線４０を通して、電子モジュール３６は超音波変換器２８を付勢し、超音波変換器２８は、高周波ＤＣ電力に同調して収縮および膨張し、この電力を０．０５〜０．５Ｗ／ｃｍ２の一般的な強度の超音波圧力波４８に変換する。
【００３８】
図５に示す塗布器具８０としての本発明の実施形態は、図１、図２、図３Ａ、図３Ｂ、および図４に示す塗布器具２０としての本発明の実施形態と同様に機能する。より詳細には、図５に示す塗布用ヘッド９０の塗布接触面９２の、運動ベクトル８６の方向への音波周波数振動は、図３Ｂおよび図４に示す、塗布用ヘッド２６の塗布接触面９２の、運動ベクトル４２の方向への音波周波数振動と同様に機能する。図５に示す塗布器具８０から放射される超音波圧力波４８は、図４に示す塗布用ヘッド２６から放射される超音波圧力波４８と同様に機能する。２つの実施形態の基礎となる技術は同一である。
【００３９】
図６は、低周波軌道振動８４および振動の運動ベクトル８６、８８および超音波圧力波４８を、頭皮、ひじ、および同様の領域などの解剖学的構造の硬質凸状領域に伝えるように設計された着脱可能な塗布用ヘッド９８を示す。
【００４０】
図５に示した塗布用ヘッド９０の塗布接触面９２は、一般的に、頬などの解剖学的構造の軟質柔軟面用に設計された剛性または半剛性材料から作られ、この解剖学的構造はわずかな圧力下で塗布接触面９２に一致し、解剖学的構造への超音波圧力波４８の伝達が容易に実現される。しかしながら、平坦な剛性塗布接触面９２を頭皮などの硬質凸状領域に当てると、非常に小さい単一の点接触が生じるため、解剖学的構造への超音波圧力波の伝達が制限される。
【００４１】
解剖学的構造の硬質凸状領域への超音波圧力波４８の伝達を最大にするために、着脱可能な塗布用ヘッド９８は、シリコーンゴムなどの可撓性超音波導電材料から作られ、わずかな圧力下で解剖学的構造に容易に一致する凹状接触面９６を特徴とする。超音波変換器２８から着脱可能な塗布用ヘッド９８への超音波圧力波４８の優れた伝達をさらに確実にするために、水またはゲルなどの超音波導電材料のわずかな被覆を、塗布接触面９２と着脱可能な塗布用ヘッド９８との間に施してもよい。
【００４２】
図７は、解剖学的構造の凹状領域用に設計された着脱可能な塗布用ヘッド１００を示す。一般的に、目と鼻の間、または頬と鼻の間などのそのような小さい凹状領域には、解剖学的構造のより大きい軟質面用に設計された塗布接触面９２はアクセスできない。着脱可能な塗布用ヘッド１００は、低周波軌道振動８４および振動の運動ベクトル８６、８８および超音波圧力波４８をこれらの小さい凹状領域に伝える、ＡＢＳまたは可撓性シリコーンゴムなどの剛性または半剛性材料から構成される。
【００４３】
図８は、塗布器具８０の塗布用ヘッド９０に設置された着脱可能な洗浄ブラシヘッド１１２を示す。ブラシヘッド１１２は、一般的に、複数の毛束１１４を収容する半剛性のＡＢＳプラスチック材料から構成される。図５に詳細に示すように、塗布器具用のモータ３０は塗布用ヘッド９０を軌道振動８４パターンで振動させる。この軌道振動８４は、ブラシヘッド１１２および複数の毛束１１４に伝達される。超音波変換器２８は、相互接続配線４０を通じて付勢されると、超音波圧力波４８を発生させて放出し、この超音波圧力波４８は塗布接触面９２によりブラシヘッド１１２および毛束１１４に伝えられ、毛束１１４からユーザの皮膚に放射される。軌道振動８４を行う毛束１１４のわずかな圧力をユーザの皮膚に加えて、毛束１１４と毛束１１４から放射される超音波圧力波４８との相乗的なこすり作用により、皮膚を効果的に洗浄する。
【００４４】
図８は、ステンレス鋼カップ１１０を組み込んだ塗布用ヘッド９０のオプションの構成も示す。
前述した説明は多くの特異性を含むが、これらを本発明の範囲を限定するものと解釈すべきではなく、本発明の好ましい追加の実施形態の例示として解釈すべきである。当業者は、実施形態に記載された様々な構成要素の寸法、形状、および構成材料を容易に変更することができ、本発明を様々なタイプの音波および超音波エネルギーの印加に対して容易に使用することができるだろう。例えば、塗布用ヘッドの音波および超音波周波数運動により強化されたスポンジ、カット綿、ローションディスペンサなどの皮膚洗浄を強化するための追加の着脱可能かつ交換可能な塗布器具が可能である。したがって、本発明の範囲は、図示した実施形態によって決められるべきではなく、添付の特許請求の範囲およびその法的等価物によって決められるべきである。
【図１】
2017521110.tif 000003
【図２】
2017521110.tif 000004
【図３Ａ】
2017521110.tif 000005
【図３Ｂ】
2017521110.tif 000006
【図４】
2017521110.tif 000007
【図５】
2017521110.tif 000008
【図６】
2017521110.tif 000009
【図７】
2017521110.tif 000010
【図８】
2017521110.tif 000011
【国際調査報告】
2017521110.tif 000012
2017521110.tif 000013